(57)【要約】【課題】ジャケットに対する加締部の保持力を向上することができるコネクタを提供する。【解決手段】アウタハウジング３と、アウタハウジング３に収容され内部に保持されるインナハウジング５と、インナハウジング５の外周に組付けられるジャケット固定部材７と、インナハウジング５に収容される複数の端子９と、複数の端子９が端末部にそれぞれ接続されインナハウジング５から引き出される複数の電線１１と、インナハウジング５から引き出された複数の電線１１の外周を一括して覆うジャケット１３と、ジャケット固定部材７に設けられジャケット１３の外周に加締められる加締部１５とを備えたコネクタ１において、加締部１５に、ジャケット１３側に向けて突出しジャケット１３の長さ方向に対して傾斜して配置されたセレーション１７を設けた。【選択図】図２
2020102305.tif 000002
【特許請求の範囲】
【請求項１】
アウタハウジングと、
前記アウタハウジングに収容され内部に保持されるインナハウジングと、
前記インナハウジングの外周に組付けられるジャケット固定部材と、
前記インナハウジングに収容される複数の端子と、
複数の前記端子が端末部にそれぞれ接続され前記インナハウジングから引き出される複数の電線と、
前記インナハウジングから引き出された複数の前記電線の外周を一括して覆うジャケットと、
前記ジャケット固定部材に設けられ前記ジャケットの外周に加締められる加締部と、
前記加締部に設けられ前記ジャケット側に向けて突出し前記ジャケットの長さ方向に対して傾斜して配置されたセレーションと、
を有することを特徴とするコネクタ。
【請求項２】
請求項１記載のコネクタであって、
前記セレーションは、突出した角部がＲ状に形成されていることを特徴とするコネクタ。
【請求項３】
請求項１又は２記載のコネクタであって、
前記セレーションは、複数設けられていることを特徴とするコネクタ。
【発明の詳細な説明】
【技術分野】
【０００１】
本発明は、コネクタに関する。詳細には、インナハウジングに組付けられるジャケット固定部材に複数の電線の外周を覆うジャケットを加締める加締部を有するコネクタに関する。
【背景技術】
【０００２】
従来、コネクタとしては、アウタハウジングとしての外部ハウジングと、外部ハウジングに収容され内部に保持されるインナハウジングとしての保持部材と、保持部材の外周に組付けられるジャケット固定部材としての上側シェルと、保持部材に収容される複数の端子と、複数の端子が端末部にそれぞれ接続され保持部材から引き出される複数の電線と、保持部材から引き出された複数の電線の外周を一括して覆うジャケットとしての外側部材と、上側シェルに設けられ外側部材の外周に加締められる加締部とを備えたものが知られている（例えば、特許文献１参照）。
【０００３】
このコネクタでは、保持部材に複数の端子を収容した状態で、保持部材の外周に上側シェルを組付け、保持部材から引き出された複数の電線の外周を一括して覆う外側部材の外周を加締部で加締めることによって、各部材の組付状態を保持することができる。
【先行技術文献】
【特許文献】
【０００４】
【特許文献１】特開２０１７−２０４３３５号公報
【発明の概要】
【発明が解決しようとする課題】
【０００５】
ところで、上記特許文献１のようなコネクタでは、複数の電線とジャケットとが完全に密着せず、複数の電線とジャケットとの間に空間（隙間）が存在していることがある。
【０００６】
このような場合、ジャケットの外周に加締部を加締めたとしても、複数の電線とジャケットとの間に空間が残存してしまうことがある。
【０００７】
複数の電線とジャケットとの間に空間が残存していると、加締部において、ジャケットが複数の電線側に逃げてしまい、ジャケットに対する加締部の保持力が低下してしまう。
【０００８】
このため、複数の電線やジャケットにインナハウジングから離れる方向に引張力が加わると、加締部において、ジャケットに対する加締め位置がズレる、或いはジャケットが加締部から外れてしまう虞があった。
【０００９】
そこで、この発明は、ジャケットに対する加締部の保持力を向上することができるコネクタの提供を目的としている。
【課題を解決するための手段】
【００１０】
請求項１記載の発明は、アウタハウジングと、前記アウタハウジングに収容され内部に保持されるインナハウジングと、前記インナハウジングの外周に組付けられるジャケット固定部材と、前記インナハウジングに収容される複数の端子と、複数の前記端子が端末部にそれぞれ接続され前記インナハウジングから引き出される複数の電線と、前記インナハウジングから引き出された複数の前記電線の外周を一括して覆うジャケットと、前記ジャケット固定部材に設けられ前記ジャケットの外周に加締められる加締部と、前記加締部に設けられ前記ジャケット側に向けて突出し前記ジャケットの長さ方向に対して傾斜して配置されたセレーションとを有することを特徴とするコネクタである。
【００１１】
このコネクタでは、加締部に、ジャケット側に向けて突出しジャケットの長さ方向に対して傾斜して配置されたセレーションが設けられているので、ジャケットの外周に加締部を加締めたときに、セレーションをジャケットの外周に食い込むように配置させることができる。
【００１２】
また、セレーションは、ジャケットの長さ方向に対して傾斜して配置されているので、セレーションがジャケットの長さ方向に直交して配置される場合に比較して、加締部におけるセレーションの長さを長くすることができ、ジャケットに対するセレーションの食い込み量を増大させることができる。
【００１３】
従って、このようなコネクタでは、複数の電線とジャケットとの間に空間が残存していても、セレーションをジャケットの外周に安定して食い込ませることができ、ジャケットに対する加締部の保持力を向上することができる。
【００１４】
請求項２記載の発明は、請求項１記載のコネクタであって、前記セレーションは、突出した角部がＲ状に形成されていることを特徴とする。
【００１５】
このコネクタでは、セレーションの突出した角部が、Ｒ状に形成されているので、複数の電線やジャケットに引張力が加わったときに、セレーションの角部によってジャケットに損傷が生じることを防止することができる。
【００１６】
請求項３記載の発明は、請求項１又は２記載のコネクタであって、前記セレーションは、複数設けられていることを特徴とする。
【００１７】
このコネクタでは、セレーションが、複数設けられているので、ジャケットに対する加締部の保持力をさらに向上することができる。
【発明の効果】
【００１８】
本発明によれば、ジャケットに対する加締部の保持力を向上することができるコネクタを提供することができるという効果を奏する。
【図面の簡単な説明】
【００１９】
【図１】本発明の実施の形態に係るコネクタの斜視図である。
【図２】本発明の実施の形態に係るコネクタの断面図である。
【図３】本発明の実施の形態に係るコネクタの要部拡大断面図である。
【図４】本発明の実施の形態に係るコネクタの要部を示すための拡大断面図である。
【図５】本発明の実施の形態に係るコネクタのインナハウジングにジャケット固定部材を組付けるときの斜視図である。
【図６】本発明の実施の形態に係るコネクタのインナハウジングにジャケット固定部材を組付けたときの斜視図である。
【図７】本発明の実施の形態に係るコネクタのジャケット固定部材の上面図である。
【発明を実施するための形態】
【００２０】
図１〜図７を用いて本発明の実施の形態に係るコネクタについて説明する。
【００２１】
本実施の形態に係るコネクタ１は、アウタハウジング３と、アウタハウジング３に収容され内部に保持されるインナハウジング５と、インナハウジング５の外周に組付けられるジャケット固定部材７と、インナハウジング５に収容される複数の端子９と、複数の端子９が端末部にそれぞれ接続されインナハウジング５から引き出される複数の電線１１と、インナハウジング５から引き出された複数の電線１１の外周を一括して覆うジャケット１３と、ジャケット固定部材７に設けられジャケット１３の外周に加締められる加締部１５とを備えている。
【００２２】
そして、加締部１５には、ジャケット１３側に向けて突出しジャケット１３の長さ方向に対して傾斜して配置されたセレーション１７が設けられている。
【００２３】
また、セレーション１７は、突出した角部１９がＲ状に形成されている。
【００２４】
さらに、セレーション１７は、複数設けられている。
【００２５】
図１〜図７に示すように、アウタハウジング３は、合成樹脂などの絶縁性材料からなり、直方体状に形成され、相手ハウジング（不図示）と嵌合可能となっている。
【００２６】
このアウタハウジング３の上部には、アウタハウジング３と連続する一部材で高さ方向に揺動可能なロックアーム２１が設けられている。
【００２７】
ロックアーム２１には、アウタハウジング３と相手ハウジングとが嵌合した状態で、相手ハウジングに設けられた被ロック部（不図示）に係合するロック部２３が設けられている。
【００２８】
このロックアーム２１は、アウタハウジング３と相手ハウジングとが嵌合するときに、ロック部２３と被ロック部との摺動により下方に向けて撓まされ、アウタハウジング３と相手ハウジングとが嵌合したときに、上方に向けて復元し、ロック部２３と被ロック部とが係合される。
【００２９】
このロックアーム２１のロック部２３と相手ハウジングの被ロック部との係合により、アウタハウジング３と相手ハウジングとの嵌合状態が保持される。
【００３０】
なお、ロックアーム２１には、押圧することによりロックアーム２１を下方に向けて撓ませる操作部２５が設けられ、操作部２５を押圧することにより、ロック部２３と被ロック部との係合が解除され、アウタハウジング３と相手ハウジングとの嵌合を解除することができる。
【００３１】
このようなアウタハウジング３の内部には、インナハウジング５を収容可能な収容部２７が設けられている。
【００３２】
収容部２７の内部には、アウタハウジング３の高さ方向に撓み可能な係止ランス２９が設けられている。
【００３３】
係止ランス２９は、収容部２７の長さ方向の一端側の開口から収容部２７にインナハウジング５が収容されることにより、インナハウジング５及びインナハウジング５に組付けられたジャケット固定部材７と摺動して下方に向けて撓まされ、インナハウジング５が収容部２７の正規収容位置に位置したとき、上方に向けて復元し、ジャケット固定部材７に係止される。
【００３４】
この係止ランス２９のインナハウジング５に組付けられたジャケット固定部材７への係止により、インナハウジング５が収容部２７の長さ方向の一端側の開口から抜け出ることがなく、インナハウジング５がアウタハウジング３の収容部２７内に保持される。
【００３５】
インナハウジング５は、合成樹脂などの絶縁性材料からなり、収容部２７に収容可能な直方体状に形成されている。
【００３６】
このインナハウジング５の内部には、複数（ここでは２つ）の端子９を収容可能な複数（ここでは２つ）の端子収容室３１が設けられている。
【００３７】
複数の端子収容室３１には、長さ方向の一端側の開口から端子９がそれぞれ収容され、インナハウジング５の外周から複数の端子収容室３１に向けて組付けられる係止部材３３によって、端子９の端子収容室３１からの抜け止めがなされる。
【００３８】
この複数の端子収容室３１にそれぞれ端子９が収容されたインナハウジング５は、アウタハウジング３の収容部２７に収容された状態で、端子収容室３１の長さ方向の他端側の開口側の部分と、収容部２７の長さ方向の他端側の開口とが一致するように配置される。
【００３９】
このようなインナハウジング５の外周には、ジャケット固定部材７を組付けるための複数（ここでは４つ）の係合凹部３５が設けられている。
【００４０】
ジャケット固定部材７は、金属製の板材に対して、プレス加工などを施すことにより、装着部３７と、加締部１５とが設けられている。
【００４１】
装着部３７は、インナハウジング５の底面に対向して配置される底壁３９と、底壁３９の両側から上方に向けて折り曲げられインナハウジング５の両側面に対向して配置される側壁４１，４１とを備えている。
【００４２】
装着部３７の側壁４１，４１の内面には、インナハウジング５の複数の係合凹部３５に係合される複数（ここでは４つ）の係合凸部４３が設けられている。
【００４３】
この複数の係合凹部３５と複数の係合凸部４３との係合により、ジャケット固定部材７が装着部３７によってインナハウジング５の外周に組付けられる。
【００４４】
この複数の係合凸部４３が設けられた側壁４１のうちアウタハウジング３への挿入方向前側に位置する側壁４１には、インナハウジング５に設けられた被当接部４５とアウタハウジング３からの抜け方向に対向する部分に被当接部４５と当接可能な当接部４７が設けられている。
【００４５】
この当接部４７は、インナハウジング５の被当接部４５と当接することにより、インナハウジング５から引き出された複数の電線１１やジャケット１３にインナハウジング５から離れる方向に引張力が加わったとしても、インナハウジング５に対するジャケット固定部材７の配置位置を保持することができる。
【００４６】
加えて、装着部３７の底壁３９には、アウタハウジング３の係止ランス２９に係止される切り起こしにより形成された係止部４９が設けられており、アウタハウジング３からのジャケット固定部材７の抜け止めがなされている。
【００４７】
このような装着部３７には、底壁３９及び側壁４１，４１と連続する一部材で加締部１５が設けられている。
【００４８】
加締部１５は、底壁３９の両側から上方に向けて延設された一対の加締片５１，５１を備えている。
【００４９】
この加締部１５は、一対の加締片５１，５１が、治具などによって、インナハウジング５から引き出された複数の電線１１の外周を一括して覆うジャケット１３の外周に加締められる。
【００５０】
このような加締部１５によって加締められるジャケット１３の内部に配置された複数の電線１１の端末部には、複数の端子９がそれぞれ接続されている。
【００５１】
複数（ここでは２つ）の端子９は、箱状の接続部を有する雌型端子からなり、インナハウジング５の複数の端子収容室３１にそれぞれ長さ方向の一端側の開口から挿入され、端子収容室３１の正規位置に収容される。
【００５２】
この複数の端子９は、アウタハウジング３が相手ハウジングと嵌合することにより、インナハウジング５の長さ方向の他端側の開口から相手ハウジングに収容された複数（ここでは２つ）の相手端子（不図示）のタブ状の接続部がそれぞれ挿入され、複数の相手端子に電気的に接続される。
【００５３】
このような複数の端子９は、複数の電線１１の端末部にそれぞれ電気的に接続されている。
【００５４】
複数（ここでは２本）の電線１１は、芯線の外周を絶縁被覆された被覆電線からなり、長さ方向の一端側が電源や機器などに電気的に接続され、長さ方向の他端側が圧着によって端子９に電気的に接続されている。
【００５５】
この複数の電線１１は、その外周がジャケット１３によって一括して覆われ、端子９がインナハウジング５に収容された状態で、端子収容室３１の長さ方向の一端側の開口から外部に引き出される。
【００５６】
ジャケット１３は、絶縁性材料からなり、筒状に形成され、インナハウジング５の外部に引き出された複数の電線１１の外周を一括して覆っている。
【００５７】
なお、ジャケット１３の内部には、２本の電線１１が挿通されているが、この２本の電線は捻られて配置されてもよく、ジャケット１３の内部に捻られて電線１１が配置されたものは、ツイストペア電線と称される。
【００５８】
このジャケット１３の複数の電線１１が露出する側の端部外周には、ジャケット固定部材７の加締部１５が加締められ、ジャケット１３がジャケット固定部材７に固定される。
【００５９】
ところで、複数の電線１１とジャケット１３との間には、空間（隙間）が形成されている。
【００６０】
複数の電線１１とジャケット１３との間に空間が形成されていると、ジャケット１３の外周に加締部１５を加締めたとしても、複数の電線１１とジャケット１３との間に空間が残存してしまうことがある。
【００６１】
複数の電線１１とジャケット１３との間に空間が残存していると、加締部１５において、ジャケット１３が複数の電線１１側に逃げてしまい、ジャケット１３に対する加締部１５の保持力が低下してしまう。
【００６２】
このため、複数の電線１１やジャケット１３にインナハウジング５から離れる方向に引張力が加わると、加締部１５において、ジャケット１３に対する加締め位置がズレる、或いはジャケット１３が加締部１５から外れてしまう虞があった。
【００６３】
そこで、加締部１５には、セレーション１７が設けられている。
【００６４】
セレーション１７は、加締部１５のジャケット１３側の表面に、一対の加締片５１，５１に跨って形成され、ジャケット１３の長さ方向に沿って複数（ここでは２本）設けられている。
【００６５】
この複数のセレーション１７は、加締部１５のジャケット１３と反対側を打ち出し加工などを施すことによって、それぞれジャケット１３側に向けて突出され、ジャケット１３の長さ方向に対して傾斜して配置されている。
【００６６】
このようなセレーション１７を加締部１５に設けることにより、例えば、図３，図４に示すように、加締部１５において、ジャケット１３と電線１１との間に空間５３が残存していても、ジャケット１３に加締部１５を加締めたときに、セレーション１７をジャケット１３の外周面に食い込ませることができる。
【００６７】
このため、複数の電線１１やジャケット１３にインナハウジング５から離れる方向に引張力が加わったとしても、加締部１５にジャケット１３を安定して保持することができる。
【００６８】
加えて、セレーション１７は、ジャケット１３の長さ方向に対して傾斜して配置されているので、セレーション１７がジャケット１３の長さ方向に直交して配置される場合に比較して、加締部１５におけるセレーション１７の長さを長くすることができ、ジャケット１３に対するセレーション１７の食い込み量を増大させることができる。
【００６９】
従って、このようなセレーション１７を加締部１５に設けることにより、ジャケット１３に対する加締部１５の保持力を増大することができ、加締部１５において、ジャケット１３に対する加締め位置がズレる、或いはジャケット１３が加締部１５から外れてしまうということを防止することができる。
【００７０】
ここで、セレーション１７は、突出した角部１９がＲ状に形成されている。
【００７１】
このように角部１９をＲ状に形成することにより、複数の電線１１やジャケット１３にインナハウジング５から離れる方向に引張力が加わったとしても、ジャケット１３の外周面に食い込んだセレーション１７の角部１９によって、ジャケット１３が引き裂かれるなどのジャケット１３の損傷を防止することができる。
【００７２】
このようなコネクタ１の組付けは、まず、ジャケット１３から露出する複数の電線１１の端末部にそれぞれ複数の端子９を接続し、複数の端子９をインナハウジング５の複数の端子収容室３１にそれぞれ収容する。
【００７３】
次に、インナハウジング５の複数の係合凹部３５に対して、ジャケット固定部材７の装着部３７に設けられた複数の係合凸部４３を係合させ、ジャケット固定部材７をインナハウジング５の外周に組付ける。
【００７４】
次に、ジャケット固定部材７の加締部１５を、治具などによって、ジャケット１３の外周に加締め、ジャケット１３をジャケット固定部材７に固定させる。
【００７５】
そして、アウタハウジング３の収容部２７に、インナハウジング５を挿入し、係止ランス２９をインナハウジング５に組付けられたジャケット固定部材７に係止させ、コネクタ１の組付けを完了する。
【００７６】
このようなコネクタ１では、加締部１５に、ジャケット１３側に向けて突出しジャケット１３の長さ方向に対して傾斜して配置されたセレーション１７が設けられているので、ジャケット１３の外周に加締部１５を加締めたときに、セレーション１７をジャケット１３の外周に食い込むように配置させることができる。
【００７７】
また、セレーション１７は、ジャケット１３の長さ方向に対して傾斜して配置されているので、セレーション１７がジャケット１３の長さ方向に直交して配置される場合に比較して、加締部１５におけるセレーション１７の長さを長くすることができ、ジャケット１３に対するセレーション１７の食い込み量を増大させることができる。
【００７８】
従って、このようなコネクタ１では、複数の電線１１とジャケット１３との間に空間が残存していても、セレーション１７をジャケット１３の外周に安定して食い込ませることができ、ジャケット１３に対する加締部１５の保持力を向上することができる。
【００７９】
また、セレーション１７の突出した角部１９は、Ｒ状に形成されているので、複数の電線１１やジャケット１３に引張力が加わったときに、セレーション１７の角部１９によってジャケット１３に損傷が生じることを防止することができる。
【００８０】
さらに、セレーション１７は、複数設けられているので、ジャケット１３に対する加締部１５の保持力をさらに向上することができる。
【００８１】
なお、本発明の実施の形態に係るコネクタでは、セレーションが２本となっているが、これに限らず、セレーションを１本、或いは３本以上としてもよい。
【００８２】
また、複数の端子と複数の電線とは、２つと２本となっているが、これに限らず、複数の端子を３つ以上、複数の電線を３本以上としてもよい。
【００８３】
さらに、端子は、雌型端子となっているが、これに限らず、端子をタブ状の接続部を有する雄型端子としてもよい。
【符号の説明】
【００８４】
１…コネクタ
３…アウタハウジング
５…インナハウジング
７…ジャケット固定部材
９…端子
１１…電線
１３…ジャケット
１５…加締部
１７…セレーション
１９…角部
【図１】
2020102305.tif 000003
【図２】
2020102305.tif 000004
【図３】
2020102305.tif 000005
【図４】
2020102305.tif 000006
【図５】
2020102305.tif 000007
【図６】
2020102305.tif 000008
【図７】
2020102305.tif 000009